(57)【特許請求の範囲】
【請求項１】
使用者の手が挿入可能な手挿入部と、
前記手挿入部に挿入された手の検出を行い、前記手の非検出を表す非検出状態と、前記手の検出を表す検出状態と、を有する手検出信号を出力する手検出部と、
前記手挿入部内に風を吹き出すための吹き出し口と、
前記吹き出し口に気体を供給し、前記吹き出し口から風を吹き出させる気体供給部と、
前記手検出部をオン状態とオフ状態とに周期的に切り替え、前記手検出信号の前記検出状態が所定時間継続された場合に前記気体供給部を動作させ、前記手検出信号が前記検出状態から前記非検出状態に切り替わった場合に前記気体供給部の動作を停止させる制御部と、
を備え、
前記オン状態は、前記手検出部が前記手を検出可能な状態であり、
前記オフ状態は、前記手検出部の少なくとも一部への電力供給を停止し、前記手検出部が前記手の検出機能を喪失した状態であり、
前記制御部は、前記手検出部を周期的に切り替える際の前記オフ状態の時間をオフ時間とし、前記気体供給部を動作させる際の前記所定時間をオンディレイ時間とする時、前記オフ時間及び前記オンディレイ時間の設定が異なる通常モードと第１低消費モードとを有し、
前記第１低消費モードの前記オフ時間は、前記通常モードの前記オフ時間よりも長く、
前記第１低消費モードの前記オンディレイ時間は、前記通常モードの前記オンディレイ時間よりも短く、
前記制御部は、前記第１低消費モードにおいて前記気体供給部の動作を停止させた際において、前記気体供給部が動作を開始してから停止するまでの動作時間が所定時間以上である場合には、前記第１低消費モードから前記通常モードになり、前記気体供給部が動作を開始してから停止するまでの動作時間が所定時間未満である場合には、前記第１低消費モードを継続することを特徴とする手乾燥装置。
【請求項２】
前記第１低消費モードの前記オフ時間と前記オンディレイ時間との和は、前記通常モードの前記オフ時間と前記オンディレイ時間との和と同じであることを特徴とする請求項１記載の手乾燥装置。
【請求項３】
前記制御部は、通常状態と、一部の動作を停止させて前記通常状態よりも消費電力を低下させた省電力状態と、を有し、前記通常状態と前記省電力状態とを周期的に切り替え、前記通常状態の期間に前記手検出部の前記オン状態の期間を重ね、前記手検出部の前記オフ状態の期間に前記省電力状態の期間を重ねることを特徴とする請求項１又は２に記載の手乾燥装置。
【請求項４】
前記制御部は、第２低消費モードをさらに有し、
前記第２低消費モードの前記オフ時間は、前記第１低消費モードの前記オフ時間よりも長く、
前記制御部は、所定の切替条件に応じて、前記第１低消費モードと前記第２低消費モードとを切り替えることを特徴とする請求項１〜３のいずれか１つに記載の手乾燥装置。
【請求項５】
前記制御部は、前記第２低消費モードにおいて前記気体供給部の動作を停止させた際において、前記気体供給部が動作を開始してから停止するまでの動作時間が所定時間以上である場合には、前記第２低消費モードから前記通常モード又は前記第１低消費モードになり、前記気体供給部が動作を開始してから停止するまでの動作時間が所定時間未満である場合には、前記第２低消費モードを継続することを特徴とする請求項４記載の手乾燥装置。
【請求項６】
使用者の手が挿入可能な手挿入部と、
前記手挿入部に挿入された手の検出を行い、前記手の非検出を表す非検出状態と、前記手の検出を表す検出状態と、を有する手検出信号を出力する手検出部と、
前記手挿入部内に風を吹き出すための吹き出し口と、
前記吹き出し口に気体を供給し、前記吹き出し口から風を吹き出させる気体供給部と、
前記手検出部をオン状態とオフ状態とに周期的に切り替え、前記手検出信号の前記検出状態が所定時間継続された場合に前記気体供給部を動作させ、前記手検出信号が前記検出状態から前記非検出状態に切り替わった場合に前記気体供給部の動作を停止させる制御部と、
を備え、
前記オン状態は、前記手検出部が前記手を検出可能な状態であり、
前記オフ状態は、前記手検出部の少なくとも一部への電力供給を停止し、前記手検出部が前記手の検出機能を喪失した状態であり、
前記制御部は、前記手検出部を周期的に切り替える際の前記オフ状態の時間をオフ時間とし、前記気体供給部を動作させる際の前記所定時間をオンディレイ時間とする時、前記オフ時間及び前記オンディレイ時間の設定が異なる通常モードと第１低消費モードとを有し、
前記第１低消費モードの前記オフ時間は、前記通常モードの前記オフ時間よりも長く、
前記第１低消費モードの前記オンディレイ時間は、前記通常モードの前記オンディレイ時間よりも短く、
前記制御部は、第２低消費モードをさらに有し、
前記第２低消費モードの前記オフ時間は、前記第１低消費モードの前記オフ時間よりも長く、
前記制御部は、所定の切替条件に応じて、前記第１低消費モードと前記第２低消費モードとを切り替えるとともに、前記第２低消費モードにおいて前記気体供給部の動作を停止させた際において、前記気体供給部が動作を開始してから停止するまでの動作時間が所定時間以上である場合には、前記第２低消費モードから前記通常モード又は前記第１低消費モードになり、前記気体供給部が動作を開始してから停止するまでの動作時間が所定時間未満である場合には、前記第２低消費モードを継続することを特徴とする手乾燥装置。
【発明の詳細な説明】
【技術分野】
【０００１】
本発明の態様は、一般的に、手乾燥装置に関する。
【背景技術】
【０００２】
トイレ室の壁面などに取り付けられ、手洗い後の使用者の手の乾燥に用いられる手乾燥装置がある。手乾燥装置は、使用者の手が挿入される凹状の手挿入部と、手挿入部に挿入された使用者の手を検出する手検出部（センサ）と、を有する。手乾燥装置は、手挿入部に挿入された手を検出し、挿入された手に向けて風を吹き付ける。このように、手乾燥装置は、使用者の手に向けて風を吹き付け、手に付着した水滴を吹き飛ばすことによって、使用者の手を乾燥させる。
【０００３】
こうした手乾燥装置は、例えば、ペーパータオルなどを用意する場合に比べ、使用後のペーパータオルの片付けや補充などを行う必要がなく、管理が容易であることから、公共施設のトイレ室や洗面所などに好適に用いられている。
【０００４】
手乾燥装置において、手検出部による手の検出に応答して、すぐに風の吹き出し動作を開始してしまうと、例えば、手挿入部に虫などが侵入した際にも動作が行われてしまう。例えば、無駄な動作により、消費電力が増加してしまう。そこで、手乾燥装置では、手検出部による手の検出状態が所定時間（以下、オンディレイ時間と称す）継続された場合に、動作を開始することが行われている。これにより、虫などの検出にともなう誤動作を抑制することができる。
【０００５】
また、手乾燥装置は、実際に動作している時間よりも待機している時間の方が長い傾向にある。例えば、オフィスビルに設置された手乾燥装置では、土日などの休日には、平日に比べて使用頻度が大きく低下する。このため、手乾燥装置では、待機状態における消費電力の低減が図られている。
【０００６】
手乾燥装置では、例えば、手検出部のオン・オフを周期的に繰り返すことが行われている。これにより、手検出部を常時オン状態にしてる場合に比べて、待機時の消費電力を抑えることができる。さらには、手検出部のオフ状態の長さを変化させる手乾燥装置もある（例えば特許文献１）。例えば、待機状態が所定時間継続された場合に、オフ状態の時間を長くする。これにより、待機時の消費電力をより抑制することができる。
【０００７】
しかしながら、オフ状態の時間を長くすると、使用者が手挿入部に手を挿入してから実際に動作が開始されるまでの待ち時間が長くなり、手乾燥装置の使い勝手が低下してしまう可能性が生じる。例えば、オフ状態の時に使用者が手挿入部に手を挿入すると、待ち時間は、オフ状態の時間とオンディレイ時間との和となる。従って、通常時よりも待ち時間が長くなり、使用者に違和感を与えてしまうことが懸念される。このため、手乾燥装置では、待機状態における消費電力を抑制し、かつ使い勝手の低下を抑制することが望まれる。
【先行技術文献】
【特許文献】
【０００８】
【特許文献１】特開２００２−１７７１６５号公報
【発明の概要】
【発明が解決しようとする課題】
【０００９】
本発明は、かかる課題の認識に基づいてなされたものであり、待機状態における消費電力を抑制し、かつ使い勝手の低下を抑制することができる手乾燥装置を提供することを目的とする。
【課題を解決するための手段】
【００１０】
第１の発明は、使用者の手が挿入可能な手挿入部と、前記手挿入部に挿入された手の検出を行い、前記手の非検出を表す非検出状態と、前記手の検出を表す検出状態と、を有する手検出信号を出力する手検出部と、前記手挿入部内に風を吹き出すための吹き出し口と、前記吹き出し口に気体を供給し、前記吹き出し口から風を吹き出させる気体供給部と、前記手検出部をオン状態とオフ状態とに周期的に切り替え、前記手検出信号の前記検出状態が所定時間継続された場合に前記気体供給部を動作させ、前記手検出信号が前記検出状態から前記非検出状態に切り替わった場合に前記気体供給部の動作を停止させる制御部と、を備え、前記オン状態は、前記手検出部が前記手を検出可能な状態であり、前記オフ状態は、前記手検出部の少なくとも一部への電力供給を停止し、前記手検出部が前記手の検出機能を喪失した状態であり、前記制御部は、前記手検出部を周期的に切り替える際の前記オフ状態の時間をオフ時間とし、前記気体供給部を動作させる際の前記所定時間をオンディレイ時間とする時、前記オフ時間及び前記オンディレイ時間の設定が異なる通常モードと第１低消費モードとを有し、前記第１低消費モードの前記オフ時間は、前記通常モードの前記オフ時間よりも長く、前記第１低消費モードの前記オンディレイ時間は、前記通常モードの前記オンディレイ時間よりも短く、前記制御部は、前記第１低消費モードにおいて前記気体供給部の動作を停止させた際において、前記気体供給部が動作を開始してから停止するまでの動作時間が所定時間以上である場合には、前記第１低消費モードから前記通常モードになり、前記気体供給部が動作を開始してから停止するまでの動作時間が所定時間未満である場合には、前記第１低消費モードを継続することを特徴とする手乾燥装置である。
【００１１】
この手乾燥装置によれば、第１低消費モードのオフ時間を、通常モードのオフ時間よりも長くしているため、待機状態における消費電力を抑えることができる。また、第１低消費モードのオンディレイ時間を、通常モードのオンディレイ時間よりも短くしている。これにより、第１低消費モードにおいて、使用者が手挿入部に手を挿入してから実際に動作が開始されるまでの待ち時間を短くすることができる。従って、待機状態における消費電力を抑制し、かつ使い勝手の低下を抑制することができる。また、虫などが手挿入部内に侵入した誤動作によって第１低消費モードから通常モードになり、消費電力が高くなってしまうことを抑制することができる。
【００１２】
第２の発明は、第１の発明において、前記第１低消費モードの前記オフ時間と前記オンディレイ時間との和は、前記通常モードの前記オフ時間と前記オンディレイ時間との和と同じであることを特徴とする手乾燥装置である。
【００１３】
この手乾燥装置によれば、使用者は、第１低消費モード中の使用であっても、通常モード時と同じように使用することができ、使い勝手を維持しつつ、待機時の消費電力を抑制することができる。
【００１４】
第３の発明は、第１又は第２の発明において、前記制御部は、通常状態と、一部の動作を停止させて前記通常状態よりも消費電力を低下させた省電力状態と、を有し、前記通常状態と前記省電力状態とを周期的に切り替え、前記通常状態の期間に前記手検出部の前記オン状態の期間を重ね、前記手検出部の前記オフ状態の期間に前記省電力状態の期間を重ねることを特徴とする手乾燥装置である。
【００１５】
この手乾燥装置によれば、待機時に制御部の消費電力も抑制することができ、待機時の消費電力をより抑制することができる。
【００１６】
第４の発明は、第１〜第３の発明のいずれか１つにおいて、前記制御部は、第２低消費モードをさらに有し、前記第２低消費モードの前記オフ時間は、前記第１低消費モードの前記オフ時間よりも長く、前記制御部は、所定の切替条件に応じて、前記第１低消費モードと前記第２低消費モードとを切り替えることを特徴とする手乾燥装置である。
【００１７】
この手乾燥装置によれば、例えばオフィスビルの夜間や休日など、使用頻度の低い時間帯において第２低消費モードに切り替えることで、待機時の消費電力をより抑制することができる。
【００１８】
第５の発明は、第４の発明において、前記制御部は、前記第２低消費モードにおいて前記気体供給部の動作を停止させた際において、前記気体供給部が動作を開始してから停止するまでの動作時間が所定時間以上である場合には、前記第２低消費モードから前記通常モード又は前記第１低消費モードになり、前記気体供給部が動作を開始してから停止するまでの動作時間が所定時間未満である場合には、前記第２低消費モードを継続することを特徴とする手乾燥装置である。
【００１９】
この手乾燥装置によれば、虫などが手挿入部内に侵入した誤動作によって第２低消費モードから通常モード又は第１低消費モードになり、消費電力が高くなってしまうことを抑制することができる。
【００２０】
第６の発明は、使用者の手が挿入可能な手挿入部と、前記手挿入部に挿入された手の検出を行い、前記手の非検出を表す非検出状態と、前記手の検出を表す検出状態と、を有する手検出信号を出力する手検出部と、前記手挿入部内に風を吹き出すための吹き出し口と、前記吹き出し口に気体を供給し、前記吹き出し口から風を吹き出させる気体供給部と、前記手検出部をオン状態とオフ状態とに周期的に切り替え、前記手検出信号の前記検出状態が所定時間継続された場合に前記気体供給部を動作させ、前記手検出信号が前記検出状態から前記非検出状態に切り替わった場合に前記気体供給部の動作を停止させる制御部と、を備え、前記オン状態は、前記手検出部が前記手を検出可能な状態であり、前記オフ状態は、前記手検出部の少なくとも一部への電力供給を停止し、前記手検出部が前記手の検出機能を喪失した状態であり、前記制御部は、前記手検出部を周期的に切り替える際の前記オフ状態の時間をオフ時間とし、前記気体供給部を動作させる際の前記所定時間をオンディレイ時間とする時、前記オフ時間及び前記オンディレイ時間の設定が異なる通常モードと第１低消費モードとを有し、前記第１低消費モードの前記オフ時間は、前記通常モードの前記オフ時間よりも長く、前記第１低消費モードの前記オンディレイ時間は、前記通常モードの前記オンディレイ時間よりも短く、前記制御部は、第２低消費モードをさらに有し、前記第２低消費モードの前記オフ時間は、前記第１低消費モードの前記オフ時間よりも長く、前記制御部は、所定の切替条件に応じて、前記第１低消費モードと前記第２低消費モードとを切り替えるとともに、前記第２低消費モードにおいて前記気体供給部の動作を停止させた際において、前記気体供給部が動作を開始してから停止するまでの動作時間が所定時間以上である場合には、前記第２低消費モードから前記通常モード又は前記第１低消費モードになり、前記気体供給部が動作を開始してから停止するまでの動作時間が所定時間未満である場合には、前記第２低消費モードを継続することを特徴とする手乾燥装置である。
【００２１】
この手乾燥装置によれば、第１低消費モードのオフ時間を、通常モードのオフ時間よりも長くしているため、待機状態における消費電力を抑えることができる。また、第１低消費モードのオンディレイ時間を、通常モードのオンディレイ時間よりも短くしている。これにより、第１低消費モードにおいて、使用者が手挿入部に手を挿入してから実際に動作が開始されるまでの待ち時間を短くすることができる。従って、待機状態における消費電力を抑制し、かつ使い勝手の低下を抑制することができる。また、例えばオフィスビルの夜間や休日など、使用頻度の低い時間帯において第２低消費モードに切り替えることで、待機時の消費電力をより抑制することができる。さらに、虫などが手挿入部内に侵入した誤動作によって第２低消費モードから通常モード又は第１低消費モードになり、消費電力が高くなってしまうことを抑制することができる。
【発明の効果】
【００２２】
本発明の態様によれば、待機状態における消費電力を抑制し、かつ使い勝手の低下を抑制することができる手乾燥装置が提供される。
【図面の簡単な説明】
【００２３】
【図１】第１の実施形態にかかる手乾燥装置を表す斜視図である。
【図２】第１の実施形態にかかる手乾燥装置を表す縦断面図である。
【図３】第１の実施形態にかかる手乾燥装置を表す平面図である。
【図４】第１の実施形態にかかる手乾燥装置の電気的構成を表すブロック図である。
【図５】図５（ａ）〜図５（ｆ）は、第１の実施形態にかかる制御部の動作の一例を表すタイミングチャート図である。
【図６】第１の実施形態にかかる制御部の動作の一例を表すフローチャートである。
【図７】第１の実施形態にかかる制御部の動作の一例を表すフローチャートである。
【図８】図８（ａ）〜図８（ｄ）は、第２の実施形態にかかる制御部の動作の一例を表すタイミングチャート図である。
【図９】図９（ａ）〜図９（ｅ）は、第３の実施形態にかかる制御部の動作の一例を表すタイミングチャート図である。
【図１０】第４の実施形態にかかる手乾燥装置の電気的構成を表すブロック図である。
【図１１】図１１（ａ）〜図１１（ｆ）は、第４の実施形態にかかる制御部の動作の一例を表すタイミングチャート図である。
【図１２】第４の実施形態にかかる制御部の動作の一例を表すフローチャートである。
【図１３】第５の実施形態にかかる制御部の動作の一例を表すフローチャートである。
【図１４】第５の実施形態にかかる制御部の動作の一例を表すフローチャートである。
【図１５】第６の実施形態にかかる手乾燥装置を表す斜視図である。
【図１６】第６の実施形態にかかる手乾燥装置を表す縦断面図である。
【発明を実施するための形態】
【００２４】
以下、実施形態について図面を参照しつつ説明する。なお、各図面中、同様の構成要素には同一の符号を付して詳細な説明は適宜省略する。  
（第１の実施形態）  
図１は、第１の実施形態にかかる手乾燥装置を表す斜視図である。  
図２は、第１の実施形態にかかる手乾燥装置を表す縦断面図である。  
図１及び図２に表したように、手乾燥装置１０は、本体部１２を備える。本体部１２は、使用者の手を挿入可能にした凹状の手挿入部１４を有する。図２は、手乾燥装置１０（本体部１２）の横方向の中央付近の縦断面を表している。また、図２では、風（気体）の流れを矢印で示している。
【００２５】
手乾燥装置１０は、例えば、トイレ室の壁面などに取り付けて使用される。手乾燥装置１０は、手挿入部１４に挿入された手を検出し、手挿入部１４内の手に風を吹き付ける。これにより、手乾燥装置１０は、例えば、トイレ使用後の手洗いなどで濡れた手を乾燥させる。
【００２６】
手挿入部１４は、例えば、上方に開口する。本体部１２は、例えば、上方に開口した開口箱状である。従って、使用者は、上方から下方に向かって手挿入部１４に手を挿入する。手挿入部１４の開口する向きは、上方に限ることなく、例えば、前方や前方側斜め上方などでもよい。手挿入部１４の開口する向きは、使用者が手を挿入し易い任意の方向でよい。
【００２７】
また、手挿入部１４の開口形状は、横長である。手挿入部１４の開口部の横方向の長さは、手挿入部１４の開口部の前後方向の長さよりも長い。これにより、手乾燥装置１０では、左右の手を横方向に並べた状態で、上方から手挿入部１４に挿入することができる。すなわち、使用者は、両手を下方に垂らして手挿入部１４に挿入すればよく、自然な姿勢で手の乾燥を行うことができる。
【００２８】
本体部１２は、前面部１２ａと、背面部１２ｂと、一対の側面部１２ｃ、１２ｄと、を有する。この例において、本体部１２は、略矩形の箱状である。手挿入部１４は、例えば、前面部１２ａ、背面部１２ｂ、及び各側面部１２ｃ、１２ｄによって、前方、後方、及び両側方を囲まれた略矩形の凹部である。
【００２９】
手挿入部１４は、前面部１２ａによって形成される前面側の内側面１４ａと、背面部１２ｂによって形成される背面側の内側面１４ｂと、各内側面１４ａ、１４ｂの下端に連続する底面１４ｃと、を有する。また、内側面１４ａ、１４ｂ及び底面１４ｃのそれぞれの両側端は、各側面部１２ｃ、１２ｄによって塞がれる。手挿入部１４は、濡れた手から吹き飛ばされた水滴を各面で受ける。
【００３０】
本体部１２及び手挿入部１４の形状は、これに限ることなく、手を挿入可能な任意の形状でよい。例えば、各側面部１２ｃ、１２ｄは、省略してもよい。すなわち、手挿入部１４は、上方及び両側方が開放された溝状の形状でもよい。このように、手挿入部１４の形状は、手を挿入する開口部以外の一部が開放された形状でもよい。
【００３１】
本体部１２は、手挿入部１４内に風を吹き出すための複数の吹き出し口１５、１６を有する。吹き出し口１５は、内側面１４ａに設けられる。吹き出し口１６は、内側面１４ｂに設けられる。各吹き出し口１５、１６は、例えば、略円形の開口である。また、各吹き出し口１５、１６のそれぞれは、本体部１２に複数設けられる。複数の吹き出し口１５は、横方向（水平方向）に略一直線状に並べて内側面１４ａに設けられる。複数の吹き出し口１６は、横方向に略一直線状に並べて内側面１４ｂに設けられる。
【００３２】
各吹き出し口１５、１６は、例えば、内側面１４ａ、１４ｂの上端（開口端）付近に設けられ、斜め下方に向けて風を吹き出す。すなわち、各吹き出し口１５、１６は、底面１４ｃ側に向けて水滴を吹き飛ばす。これにより、吹き飛ばされた水滴が、使用者にかかってしまうことを抑制することができる。
【００３３】
吹き出し口１５、１６の形状は、任意の形状でよい。吹き出し口１５、１６の数は、任意の数でよい。例えば、横方向に延びるスリット状の１つの吹き出し口を本体部１２に設けてもよい。吹き出し口は、手挿入部１４に挿入された手に対して適切に風を吹き付けることができる任意の形状及び数でよい。
【００３４】
本体部１２は、例えば、各側面部１２ｃ、１２ｄに設けられた一対の通気口１８を有する。各通気口１８は、各吹き出し口１５、１６から吹き出された風を手挿入部１４の外部に抜けさせる。これにより、例えば、水滴を含んだ風が手挿入部１４内で折り返され、使用者側に向かってしまうことを抑制することができる。換言すれば、吹き飛ばされた水滴が、使用者側に向かってしまうことを抑制することができる。また、各通気口１８には、複数のルーバー１８ａが設けられている。各ルーバー１８ａは、例えば、水滴が各通気口１８を介して外部に漏れ出てしまうことを抑制する。
【００３５】
手乾燥装置１０は、水受けトレー２０と、ファンモータユニット２２と、送風ダクト２３、２４と、フィンヒータ２６と、フィルタ２８と、吸気ダクト３０と、吸音材３２と、照明部３４と、手検出部４０と、をさらに備える。ファンモータユニット２２、送風ダクト２３、２４、フィンヒータ２６、フィルタ２８、吸気ダクト３０、吸音材３２、照明部３４、及び手検出部４０の各部は、本体部１２内に設けられる。
【００３６】
水受けトレー２０は、例えば、本体部１２の底部に着脱自在に取り付けられる。本体部１２は、図示を省略した排水溝を有し、手挿入部１４の各面で受けた水滴を排水溝を介して水受けトレー２０に送る。これにより、水受けトレー２０は、手挿入部１４内で吹き飛ばされた水滴を回収する。
【００３７】
ファンモータユニット２２は、各吹き出し口１５、１６のそれぞれに気体を供給し、各吹き出し口１５、１６から風を吹き出させる気体供給部である。ファンモータユニット２２は、回転駆動軸２２ａを有する。ファンモータユニット２２の回転駆動軸２２ａは、本体部１２の前面部１２ａ及び背面部１２ｂに対して垂直な方向に延びるように配置されている。
【００３８】
また、ファンモータユニット２２のケーシングの上流端には、吸込口２２ｂが設けられている。ファンモータユニット２２の下流端には、吹き出し口２２ｃが設けられている。吹き出し口２２ｃは、上方に開口するように形成されている。各吹き出し口１５、１６への気体の供給は、ファンモータユニット２２に限ることなく、気体の供給が可能な任意のファンやポンプなどを用いればよい。
【００３９】
送風ダクト２３は、本体部１２の前面側に設けられ、ファンモータユニット２２から供給された気体を前面側の各吹き出し口１５に送る。送風ダクト２４は、本体部１２の背面側に設けられ、ファンモータユニット２２から供給された気体を背面側の各吹き出し口１６に送る。すなわち、送風ダクト２３は、吹き出し口２２ｃと各吹き出し口１５との間を接続し、送風ダクト２４は、吹き出し口２２ｃと各吹き出し口１６との間を接続する。これにより、ファンモータユニット２２から供給された気体が各吹き出し口１５、１６に送られ、各吹き出し口１５、１６から吹き出す。
【００４０】
各送風ダクト２３、２４は、例えば、手乾燥装置１０の使用時において、前面側（掌側）に供給する風量が背面側（甲側）に供給する風量よりも大きくなるように、流路断面積が設定されている。流路断面積とは、送風ダクト２３、２４において、気体が通過する開口部分の断面積である。例えば、送風ダクト２３の最小の流路断面積は、送風ダクト２４の最小の流路断面積よりも大きい。これにより、送風ダクト２３側に流れる気体の流量が、送風ダクト２４側に流れる気体の流量よりも多くなり、前面側の風量が背面側の風量よりも大きくなる。
【００４１】
フィンヒータ２６は、ファンモータユニット２２の吹き出し口２２ｃに設けられている。フィンヒータ２６は、吹き出し口２２ｃから吹き出される気体（空気）を温める加熱部である。手乾燥装置１０では、フィンヒータ２６によって温められた温風を各吹き出し口１５、１６から吹き出すことができる。これにより、例えば、使用者の手の乾燥性能を向上させることができる。例えば、非加熱の風を吹き出す場合に比べて、より短時間で使用者の手を乾燥させることができる。フィンヒータ２６は、必要に応じて設けられ、省略可能である。手乾燥装置１０は、ファンモータユニット２２から供給される非加熱の風を各吹き出し口１５、１６から吹き出してもよい。ファンモータユニット２２から供給される気体を温める加熱部は、フィンヒータ２６に限ることなく、気体を加熱可能な任意のヒータなどでよい。
【００４２】
本体部１２の底部には、前述のように、水受けトレー２０が着脱自在に取り付けられる。また、本体部１２の底部には、外部から気体を取り込むための吸気口１２ｅが設けられている。吸気口１２ｅは、本体部１２の底部において、水受けトレー２０の背面側に設けられている。フィルタ２８は、吸気口１２ｅ内に設けられている。フィルタ２８は、本体部１２内への塵埃などの侵入を抑制する。
【００４３】
吸気ダクト３０は、吸気口１２ｅに接続されている。吸気ダクト３０の上流端３０ａは、吸気口１２ｅのフィルタ２８の上に配置されている。吸気ダクト３０は、上流端３０ａと吸気口１２ｅとを連通させ、上流端３０ａから本体部１２の背面部１２ｂに沿って上方にほぼ真っ直ぐ延びている。
【００４４】
吸音材３２は、吸気ダクト３０内の上部において、ファンモータユニット２２の吸込口２２ｂに隣接して設けられている。吸音材３２は、ファンモータユニット２２の作動中に吸込口２２ｂから漏出した音を吸収する。
【００４５】
手乾燥装置１０は、ファンモータユニット２２を動作させることにより、本体部１２の外部の空気を吸気口１２ｅから取り込み、フィルタ２８を介して吸気ダクト３０に吸い込む。そして、吸い込んだ空気をファンモータユニット２２から各送風ダクト２３、２４を介して各吹き出し口１５、１６に供給する。これにより、各吹き出し口１５、１６から風が吹き出される。
【００４６】
照明部３４は、手挿入部１４内を照明する。照明部３４は、例えば、手挿入部１４内に手が挿入された際に、手挿入部１４内に向けて光を照射し、手挿入部１４内を照明する。また、照明部３４は、例えば、所定のパターンで点滅することにより、手乾燥装置１０の動作状態を表示する表示部として機能させることもできる。このように、照明部３４に表示部としての機能も持たせる。これにより、例えば、手乾燥装置１０の部品点数を削減することができるとともに、表示部の追加にともなう手乾燥装置１０のデザイン性の低下なども抑制することができる。
【００４７】
この例では、本体部１２の背面部１２ｂに２つの照明部３４が設けられている（図１参照）。２つの照明部３４は、横方向に並べて背面部１２ｂに配置されている。照明部３４の数及び配置は、これに限ることなく、手挿入部１４内を適切に照明可能な任意の数及び配置でよい。
【００４８】
手検出部４０は、手挿入部１４に挿入された手を検出する。手検出部４０は、例えば、発光部４１と、受光部４２と、を有する。発光部４１は、前面部１２ａに設けられている。受光部４２は、背面部１２ｂに設けられている。例えば、発光部４１は、各吹き出し口１５の下方に配置され、受光部４２は、各吹き出し口１６の下方に配置される。発光部４１及び受光部４２は、手挿入部１４を挟んで互いに対向する位置に配置される。発光部４１及び受光部４２の配置は、これに限ることなく、手を検出可能な任意の配置でよい。例えば、上記とは反対に、前面部１２ａに受光部４２を設け、背面部１２ｂに発光部４１を設けてもよい。
【００４９】
発光部４１は、例えば、受光部４２に向けて赤外光を検出光として照射する。受光部４２は、発光部４１から照射された赤外光を受光し、赤外光の受光量（輝度）に応じた電圧を出力する。発光部４１には、例えば、発光ダイオードやレーザダイオードなどが用いられる。受光部４２には、例えば、フォトダイオードが用いられる。発光部４１の照射する検出光は、赤外光に限ることなく、可視光などでもよい。
【００５０】
手検出部４０は、受光部４２の受光レベル（出力電圧）により、使用者の手を検出する。手検出部４０においては、例えば、受光部４２の受光レベルが閾値以上の時に、手が挿入されていないと検出することができる。そして、手挿入部１４に挿入された手によって発光部４１から照射された光が遮られ、受光部４２の受光レベルが閾値未満になった時に、手が挿入されたと検出することができる。
【００５１】
この例において、手検出部４０は、いわゆる透過型の光センサ（フォトインタラプタ）である。手検出部４０は、これに限ることなく、手挿入部１４に挿入された手を検出可能な任意のセンサでよい。手検出部４０は、例えば、反射型の光センサ、測距センサ、焦電センサ、静電容量センサ、超音波センサ、又はマイクロ波センサなどでもよい。
【００５２】
図３は、第１の実施形態にかかる手乾燥装置を表す平面図である。  
図３に表したように、この例において、手検出部４０は、第１発光部４１ａ〜第３発光部４１ｃの３つの発光部４１を有している。第１発光部４１ａは、前面部１２ａの横方向の中央付近に配置されている。第２発光部４１ｂは、前面部１２ａの横方向の一端付近に配置されている。第３発光部４１ｃは、前面部１２ａの横方向の他端付近に配置されている。第２発光部４１ｂは、使用者側から見て前面部１２ａの左端付近に配置され、第３発光部４１ｃは、前面部１２ａの右端付近に配置されている。
【００５３】
各発光部４１ａ〜４１ｃは、受光部４２と対向する。各発光部４１ａ〜４１ｃは、検出光を受光部４２に入射させる。受光部４２は、各発光部４１ａ〜４１ｃのそれぞれの検出光を受光する。手検出部４０では、３つの各発光部４１ａ〜４１ｃのいずれかの検出光が遮られた際に、手挿入部１４に手が挿入されたと検知する。
【００５４】
このように、手検出部４０に３つの発光部４１ａ〜４１ｃを設ける。これにより、横長の開口形状を有する手挿入部１４への手の挿入を、より適切に検出することができる。また、３つの各発光部４１ａ〜４１ｃに対して１つの受光部４２を共通に用いる。これにより、挿入された手の検出性能を高めつつ、部品点数の増加を抑制することができる。このように、手検出部４０は、複数の発光部４１により、複数の検出位置で手挿入部１４に挿入された手の検出を行う。換言すれば、手検出部４０は、複数の検出エリアを有する。発光部４１の数は、３つに限ることなく、１つ又は２つでもよいし、４つ以上でもよい。手検出部４０の検出位置（検出エリア）は、１箇所でもよい。
【００５５】
図４は、第１の実施形態にかかる手乾燥装置の電気的構成を表すブロック図である。  
図４に表したように、手乾燥装置１０は、制御部４４と、電源回路４６と、ゼロクロス検知部４８と、をさらに備える。
【００５６】
電源回路４６は、一対の入力端子４６ａ、４６ｂを有し、各入力端子４６ａ、４６ｂを介して交流電源２に接続される。交流電源２は、例えば、商用電源である。交流電源２は、交流電力を手乾燥装置１０に供給する。
【００５７】
電源回路４６は、電荷蓄積素子５０と、整流部５２と、電力変換部５４と、を有する。電荷蓄積素子５０は、各入力端子４６ａ、４６ｂの間に接続されている。電荷蓄積素子５０は、例えば、ノイズカットフィルタとして機能し、交流電源２から供給された交流電力に含まれるノイズを抑制する。
【００５８】
整流部５２は、交流電源２から供給された交流電力を整流する。整流部５２は、例えば、交流電源２の交流電力を脈流電力に変換する。電力変換部５４は、整流部５２によって整流された電力を制御部４４などに対応した直流電力に変換し、変換後の直流電力を制御部４４などに供給する。整流部５２及び電力変換部５４は、例えば、ＡＣ１００Ｖ（実効値）の交流電力を５Ｖ〜１５Ｖ程度の直流電力に変換する。制御部４４は、電源回路４６からの電力供給によって駆動される。
【００５９】
制御部４４には、ＥＥＰＲＯＭ６０と、ヒータ入切スイッチ６１と、風量切替スイッチ６２と、電源スイッチ６３と、が接続されている。各スイッチ６１〜６３は、例えば、使用者が操作可能な操作部を有し、操作部を本体部１２の外部に露呈させた状態で、本体部１２に設けられる。
【００６０】
ＥＥＰＲＯＭ６０には、手乾燥装置１０の制御に必要な各種のプログラムやデータなどが記憶されている。制御部４４は、例えば、ＥＥＰＲＯＭ６０から各種のプログラムを読み出し、逐次処理を行うことによって、手乾燥装置１０の各部を統括的に制御する。
【００６１】
ヒータ入切スイッチ６１は、フィンヒータ２６の使用の有無を示す信号を制御部４４に入力する。制御部４４は、フィンヒータ２６の使用を示す信号がヒータ入切スイッチ６１から入力された場合には、ファンモータユニット２２を駆動する際に、フィンヒータ２６を駆動し、各吹き出し口１５、１６から温風を吹き出す。一方、制御部４４は、フィンヒータ２６の非使用を示す信号がヒータ入切スイッチ６１から入力された場合には、ファンモータユニット２２を駆動する際にも、フィンヒータ２６を駆動せず、各吹き出し口１５、１６から非加熱の風を吹き出す。
【００６２】
風量切替スイッチ６２は、各吹き出し口１５、１６から吹き出す風の風量の設定を示す信号を制御部４４に入力する。制御部４４は、例えば、風量切替スイッチ６２の設定に応じて、ファンモータユニット２２の駆動条件を変化させることにより、各吹き出し口１５、１６から吹き出す風の風量を段階的又は連続的に変化させる。
【００６３】
電源スイッチ６３は、手乾燥装置１０への電源のオン・オフを切り替える。例えば、電源スイッチ６３をオンに切り替えると、電源回路４６が動作を介して制御部４４に電力を供給し、制御部４４が動作を開始する。すなわち、手乾燥装置１０が使用可能な状態になる。なお、電源スイッチ６３は、各入力端子４６ａ、４６ｂと電荷集積端子５０の間に設けて交流電源２からの電力を直接オン、オフさせてもよい。
【００６４】
ゼロクロス検知部４８は、切替スイッチ７０を介して各入力端子４６ａ、４６ｂの間に接続されている。換言すれば、ゼロクロス検知部４８は、電源回路４６に並列に接続されている。これにより、切替スイッチ７０をオン状態にすることにより、交流電源２から供給された交流電力がゼロクロス検知部４８に入力される。
【００６５】
ゼロクロス検知部４８は、交流電源２から供給された交流電力のゼロクロスを検知し、ゼロクロスの検知信号を制御部４４に入力する。ゼロクロス検知部４８は、例えば、入力された交流電圧の絶対値を所定の閾値と比較し、交流電圧の絶対値が閾値以下の時に、ゼロクロスを検知する。
【００６６】
ファンモータユニット２２は、切替スイッチ７１を介して各入力端子４６ａ、４６ｂの間に接続されている。これにより、切替スイッチ７１をオン状態にすることにより、交流電源２から供給された交流電力がファンモータユニット２２に入力され、ファンモータユニット２２が駆動される。すなわち、切替スイッチ７１をオン状態にすることにより、各吹き出し口１５、１６から風が吹き出す。
【００６７】
フィンヒータ２６は、切替スイッチ７２を介して各入力端子４６ａ、４６ｂの間に接続されている。これにより、切替スイッチ７２をオン状態にすることにより、交流電源２から供給された交流電力がフィンヒータ２６に入力され、フィンヒータ２６が駆動される。
【００６８】
照明部３４は、切替スイッチ７３を介して電力変換部５４の出力に接続されている。これにより、切替スイッチ７３をオン状態にすることにより、電力変換部５４から出力された直流電力が照明部３４に供給され、照明部３４が点灯する。
【００６９】
手検出部４０は、切替スイッチ７４を介して電力変換部５４の出力に接続されている。これにより、切替スイッチ７４をオン状態にすることにより、電力変換部５４から出力された直流電力が手検出部４０に供給され、手検出部４０が駆動される。すなわち、切替スイッチ７４をオン状態にすることにより、手検出部４０が手挿入部１４に挿入された手を検出可能な状態になる。また、手検出部４０は、制御部４４に接続されており、手挿入部１４に挿入された手の検出結果（手検出信号）を制御部４４に入力する。
【００７０】
例えば、切替スイッチ７４をオン状態にすることにより、各発光部４１ａ〜４１ｃに直流電力が供給され、各発光部４１ａ〜４１ｃから検出光が照射される。また、受光部４２のフォトダイオードに逆バイアス電圧が印加される場合には、切替スイッチ７４をオン状態にすることにより、受光部４２に逆バイアス電圧が印加される。これにより、検出光の受光量に応じた電圧が、手検出信号として受光部４２から制御部４４に出力される。
【００７１】
各切替スイッチ７０〜７４は、制御部４４に接続されている。各切替スイッチ７０〜７４のオン・オフは、制御部４４によって切り替えられる。
【００７２】
図５（ａ）〜図５（ｆ）は、第１の実施形態にかかる制御部の動作の一例を表すタイミングチャート図である。  
図５（ａ）〜図５（ｆ）は、制御部４４による手検出部４０の制御態様の一例を表している。  
図５（ａ）、図５（ｃ）、図５（ｅ）では、手検出部４０のオン状態及びオフ状態を表している。一方、図５（ｂ）、図５（ｄ）、図５（ｆ）では、手検出部４０から制御部４４に出力される手検出信号のオン状態及びオフ状態を表している。
【００７３】
ここで、手検出部４０のオン状態とは、手検出部４０が手挿入部１４に挿入された手を検出可能な状態である。この例では、切替スイッチ７４をオン状態にし、手検出部４０に直流電力が供給された状態である。そして、手検出部４０のオフ状態とは、手検出部４０が手挿入部１４に挿入された手の検出機能を喪失した状態である。この例では、切替スイッチ７４をオフ状態にし、手検出部４０への直流電力の供給を停止した状態である。
【００７４】
手検出部４０のオフ状態は、例えば、発光部４１への電力供給のみを停止し、受光部４２は正常に動作している状態でもよい。反対に、受光部４２への電力供給のみを停止し、発光部４１は正常に動作している状態（検出光を照射している状態）でもよい。このように、手検出部４０のオフ状態とは、手検出部４０の少なくとも一部への電力供給を停止し、手の検出機能を喪失した状態であればよい。
【００７５】
また、手検出信号のオン状態とは、手挿入部１４に挿入された手が検出された状態である。手検出信号のオフ状態とは、手挿入部１４に挿入された手が検出されていない状態である。すなわち、手検出信号のオン状態とは、手の検出状態であり、手検出信号のオフ状態とは、手の非検出状態である。
【００７６】
この例では、各発光部４１ａ〜４１ｃのそれぞれの検出光を受光部４２が受光している時に、手検出信号がオフ状態となり、各発光部４１ａ〜４１ｃのそれぞれの検出光のいずれかが遮られた時に、手検出信号がオン状態となる。また、手検出部４０がオフ状態の時には、手検出信号はオフ状態である。このように、手検出部４０は、手挿入部１４に挿入された手の検出を行い、手の非検出を表すオフ状態（非検出状態）と、手の検出を表すオン状態（検出状態）と、を有する手検出信号を制御部４４に出力する。
【００７７】
図５（ａ）及び図５（ｂ）は、制御部４４が通常時に行う通常モードの動作の一例を表している。図５（ａ）及び図５（ｂ）に表したように、制御部４４は、手検出信号がオフ状態の時には、手検出部４０のオン状態とオフ状態とを周期的に繰り返す。これにより、手検出部４０を常にオン状態にしている場合に比べて、手検出部４０における消費電力を抑えることができる。
【００７８】
制御部４４は、手検出信号がオフ状態からオン状態に切り替わった場合、所定時間の計時を開始する。制御部４４は、手検出信号のオン状態が所定時間継続された場合に、手挿入部１４に手が挿入されたと判断する。換言すれば、手の検出を確定させる。制御部４４は、手検出信号がオン状態になった場合、手検出信号がオフ状態になるまで、手検出部４０のオン状態を継続させる。
【００７９】
制御部４４は、手検出信号のオン状態が所定時間継続された後、切替スイッチ７１をオン状態にしてファンモータユニット２２を駆動し、各吹き出し口１５、１６から風を吹き出すとともに、切替スイッチ７３をオン状態にして照明部３４を点灯させることにより、手挿入部１４内を照明する。また、制御部４４は、ヒータ入切スイッチ６１でフィンヒータ２６がオンに設定されている場合には、手検出信号のオン状態が所定時間継続された後、切替スイッチ７２をオン状態にしてフィンヒータ２６を駆動し、各吹き出し口１５、１６から温風を吹き出す。すなわち、制御部４４は、手検出信号がオン状態に切り替わったタイミングから、ファンモータユニット２２の駆動を所定時間遅らせる。
【００８０】
制御部４４は、手検出信号がオン状態からオフ状態に切り替わった場合に、ファンモータユニット２２、フィンヒータ２６、照明部３４の各部の動作を停止させる。この後、制御部４４は、手検出部４０をオン状態とオフ状態とに周期的に切り替える動作に戻る。
【００８１】
一方、制御部４４は、所定時間の経過の前に手検出信号がオン状態からオフ状態に戻った場合、ファンモータユニット２２などを駆動させることなく、手検出部４０をオン状態とオフ状態とに周期的に切り替える動作に戻る。これにより、例えば、虫などの侵入にともなう誤検出を抑制することができる。例えば、手乾燥装置１０の不要な動作を抑制することができる。
【００８２】
ここで、通常モードにおいて手検出部４０のオン・オフを繰り返す際の、オン状態の時間を第１オン時間ＴＯＮ１とし、オフ状態の時間を第１オフ時間ＴＯＦＦ１とする。そして、通常モードにおいて、手検出信号がオフ状態からオン状態に切り替わった際に計時する所定時間を第１オンディレイ時間Ｔｄｅｌａｙ１とする。
【００８３】
第１オン時間ＴＯＮ１は、例えば、２０ｍｓ（ミリ秒）である。第１オフ時間ＴＯＦＦ１は、例えば、２００ｍｓである。第１オンディレイ時間Ｔｄｅｌａｙ１は、例えば、５００ｍｓである。このように、第１オフ時間ＴＯＦＦ１は、第１オン時間ＴＯＮ１よりも長い。第１オンディレイ時間Ｔｄｅｌａｙ１は、第１オン時間ＴＯＮ１よりも長い。第１オンディレイ時間Ｔｄｅｌａｙ１は、第１オフ時間ＴＯＦＦ１よりも長い。
【００８４】
例えば、手検出部４０がオン状態にある状態において使用者が手挿入部１４に手を挿入した場合、各吹き出し口１５、１６から風が吹き出るまでの使用者の待ち時間は、第１オンディレイ時間Ｔｄｅｌａｙ１のみである。
【００８５】
一方、手検出部４０がオフ状態にある状態において使用者が手挿入部１４に手を挿入した場合、使用者の待ち時間は、第１オフ時間ＴＯＦＦ１の残り時間と第１オンディレイ時間Ｔｄｅｌａｙ１との和となる。従って、通常モードにおける使用者の最大の待ち時間Ｔｄｍａｘ１は、図５（ｂ）に表したように、手検出部４０がオフ状態に切り替わったタイミングで手を挿入した時の、ＴＯＦＦ１＋Ｔｄｅｌａｙ１の値となる。最大の待ち時間Ｔｄｍａｘ１は、例えば、７００ｍｓである。
【００８６】
図５（ｃ）及び図５（ｄ）は、制御部４４の第１低消費モードにおける動作の一例を表している。第１低消費モードは、手検出部４０の動作に必要な消費電力を通常モードよりも低くした動作モードである。
【００８７】
制御部４４は、例えば、手乾燥装置１０の前回の使用から所定時間経過した場合に、通常モードから第１低消費モードに切り替える。これにより、例えば、夜間など、手乾燥装置１０の使用頻度の低い時間帯などにおいて、消費電力を抑えることができる。このように、制御部４４は、手検出部４０の動作に関し、通常モードと第１低消費モードとの２つの動作モードを有する。例えば、切替スイッチなどの操作部を設け、通常モードと第１低消費モードとを選択的に切り替えられるようにしてもよい。
【００８８】
図５（ｃ）及び図５（ｄ）に表したように、制御部４４は、第１低消費モードにおいて、第２オン時間ＴＯＮ２と、第２オフ時間ＴＯＦＦ２と、第２オンディレイ時間Ｔｄｅｌａｙ２と、を設定する。この例において、第２オン時間ＴＯＮ２は、第１オン時間ＴＯＮ１と同じである。一方、第２オフ時間ＴＯＦＦ２は、第１オフ時間ＴＯＦＦ１よりも長い。このように、第１低消費モードにおいては、第２オフ時間ＴＯＦＦ２を第１オフ時間ＴＯＦＦ１よりも長くする。すなわち、第１低消費モードにおいては、オフ時間の比率を通常モードよりも高くする。これにより、手検出信号がオフ状態で、手検出部４０のオン・オフを周期的に繰り返す際の消費電力をより抑制することができる。
【００８９】
また、第２オンディレイ時間Ｔｄｅｌａｙ２は、第１オンディレイ時間Ｔｄｅｌａｙ１よりも短い。このように、第１低消費モードにおいては、第２オンディレイ時間Ｔｄｅｌａｙ２を第１オンディレイ時間Ｔｄｅｌａｙ１よりも短くする。これにより、第２オフ時間ＴＯＦＦ２を第１オフ時間ＴＯＦＦ１よりも長くした場合においても、最大の待ち時間Ｔｄｍａｘ２が長くなり過ぎてしまうことを抑制することができる。
【００９０】
第２オン時間ＴＯＮ２は、例えば、２０ｍｓである。第２オフ時間ＴＯＦＦ２は、例えば、４００ｍｓである。第２オンディレイ時間Ｔｄｅｌａｙ２は、例えば、４００ｍｓである。この場合、第１低消費モードにおける最大の待ち時間Ｔｄｍａｘ２は、ＴＯＦＦ２＋Ｔｄｅｌａｙ２の８００ｍｓである。
【００９１】
図５（ｅ）及び図５（ｆ）は、制御部４４の動作の参考例を表している。参考例の動作では、通常モードの動作からオフ時間のみを第２オフ時間ＴＯＦＦ２に変更している。すなわち、参考例の動作は、オンディレイ時間を変更することなく、オフ時間のみを長くした動作である。この場合、最大の待ち時間Ｔｄｍａｘは、ＴＯＦＦ２＋Ｔｄｅｌａｙ１となる。Ｔｄｍａｘは、例えば、９００ｍｓである。
【００９２】
このように、オフ時間のみを長くした動作では、非使用時の待機状態における消費電力を抑えることができる反面、使用者が手挿入部に手を挿入してから実際に動作が開始されるまでの時間が長くなってしまう可能性がある。例えば、使用者に故障の疑いを抱かせてしまう恐れがある。このように、オフ時間のみを長くした動作では、使用者に違和感を与えてしまう可能性があり、手乾燥装置の使い勝手の低下を招いてしまう。
【００９３】
これに対して、本実施形態に係る手乾燥装置１０では、第１低消費モードにおいて、第２オフ時間ＴＯＦＦ２を第１オフ時間ＴＯＦＦ１よりも長くし、かつ第２オンディレイ時間Ｔｄｅｌａｙ２を第１オンディレイ時間Ｔｄｅｌａｙ１よりも短くする。これにより、手乾燥装置１０では、オフ時間のみを長くする場合に比べて、最大の待ち時間Ｔｄｍａｘ２を短くすることができる。従って、手乾燥装置１０では、待機状態における消費電力を抑制し、かつ使い勝手の低下を抑制することができる。
【００９４】
図６及び図７は、第１の実施形態にかかる制御部の動作の一例を表すフローチャートである。  
図６に表したように、手乾燥装置１０の制御部４４は、通常モードにおいて動作を開始すると、まず、手検出部４０をオフ状態にする（ステップＳ１０１）。
【００９５】
制御部４４は、手検出部４０をオフ状態にした後、内部のタイマやクロックなどを用いて計時を行い、手検出部４０をオフ状態にしたタイミングから第１オフ時間ＴＯＦＦ１が経過したか否かを判定する（ステップＳ１０２）。
【００９６】
制御部４４は、第１オフ時間ＴＯＦＦ１が経過していないと判定した場合、手検出部４０のオフ状態を継続させる。一方、制御部４４は、第１オフ時間ＴＯＦＦ１が経過したと判定した場合、手検出部４０をオフ状態からオン状態に切り替える（ステップＳ１０３）。
【００９７】
制御部４４は、手検出部４０をオン状態にした後、手検出信号がオン状態か否かを判定する（ステップＳ１０４）。
【００９８】
制御部４４は、手検出信号がオン状態であると判定した場合、続いて、手検出信号のオン状態が第１オンディレイ時間Ｔｄｅｌａｙ１継続されているか否かを判定する（ステップＳ１０５、Ｓ１０６）。
【００９９】
制御部４４は、第１オンディレイ時間Ｔｄｅｌａｙ１の経過の前に、手検出信号がオン状態からオフ状態に切り替わった場合、ステップＳ１０１の動作に戻り、手検出部４０をオフ状態にする。
【０１００】
一方、制御部４４は、手検出信号のオン状態が第１オンディレイ時間Ｔｄｅｌａｙ１継続された場合、ファンモータユニット２２の駆動を開始する（ステップＳ１０７）。続いて、制御部４４は、フィンヒータ２６の駆動を開始する（ステップＳ１０８）。これにより、制御部４４は、各吹き出し口１５、１６から温風を吹き出し、使用者の手を乾燥させる。また、制御部４４は、手検出信号のオン状態が第１オンディレイ時間Ｔｄｅｌａｙ１継続された場合、照明部３４を点灯させ、手挿入部１４内を照明する。
【０１０１】
制御部４４は、ファンモータユニット２２及びフィンヒータ２６を駆動させた後、手検出信号がオフ状態に切り替わったか否かを判定し、手検出信号がオフ状態に切り替わるまでファンモータユニット２２及びフィンヒータ２６の駆動状態を継続させる（ステップＳ１０９）。すなわち、制御部４４は、使用者が手挿入部１４から手を引き抜くまで、ファンモータユニット２２及びフィンヒータ２６の駆動状態を継続させる。
【０１０２】
制御部４４は、手検出信号がオン状態からオフ状態に切り替わったと判定すると、フィンヒータ２６の動作を停止させるとともに、ファンモータユニット２２の動作を停止させる（ステップＳ１１０、Ｓ１１１）。すなわち、各吹き出し口１５、１６からの風の吹き出しを停止させる。制御部４４は、ファンモータユニット２２及びフィンヒータ２６を停止させた後、ステップＳ１０１の動作に戻り、手検出部４０をオフ状態にする。
【０１０３】
制御部４４は、ステップＳ１０４において手検出信号がオン状態ではないと判定した場合、手乾燥装置１０の前回の使用からモード切替時間が経過したか否かを判定する（ステップＳ１１２）。なお、図示しないが、ステップＳ１１２は、ステップＳ１０１とステップＳ１０２との間に設けても良い。
【０１０４】
制御部４４は、モード切替時間が経過していないと判定した場合、続いて、第１オン時間ＴＯＮ１が経過したか否かを判定する（ステップＳ１１３）。制御部４４は、第１オン時間ＴＯＮ１が経過していないと判定した場合、ステップＳ１０４の動作に戻る。一方、制御部４４は、第１オン時間ＴＯＮ１が経過したと判定した場合、ステップＳ１０１の動作に戻り、手検出部４０をオフ状態にする。
【０１０５】
そして、制御部４４は、ステップＳ１１２においてモード切替時間が経過したと判定した場合、動作モードを通常モードから第１低消費モードに切り替える（ステップＳ１１４）。
【０１０６】
図７に表したように、制御部４４は、第１低消費モードの動作を開始すると、まず、手検出部４０をオフ状態にする（ステップＳ２０１）。
【０１０７】
制御部４４は、手検出部４０をオフ状態にした後、手検出部４０をオフ状態にしたタイミングから第２オフ時間ＴＯＦＦ２が経過したか否かを判定する（ステップＳ２０２）。
【０１０８】
制御部４４は、第２オフ時間ＴＯＦＦ２が経過していないと判定した場合、手検出部４０のオフ状態を継続させる。一方、制御部４４は、第２オフ時間ＴＯＦＦ２が経過したと判定した場合、手検出部４０をオフ状態からオン状態に切り替える（ステップＳ２０３）。この際、第２オフ時間ＴＯＦＦ２は、第１オフ時間ＴＯＦＦ１よりも長い。これにより、第１低消費モードでは、通常モードに比べてオフ時間の比率を高くし、通常モードに比べて待機状態における消費電力を抑えることができる。
【０１０９】
制御部４４は、手検出部４０をオン状態にした後、手検出信号がオン状態か否かを判定する（ステップＳ２０４）。制御部４４は、手検出信号がオン状態ではないと判定した場合、続いて、第２オン時間ＴＯＮ２が経過したか否かを判定する（ステップＳ２０５）。
【０１１０】
制御部４４は、第２オン時間ＴＯＮ２が経過していないと判定した場合、ステップＳ２０４の動作に戻る。一方、制御部４４は、第２オン時間ＴＯＮ２が経過したと判定した場合、ステップＳ２０１の動作に戻り、手検出部４０をオフ状態にする。
【０１１１】
制御部４４は、ステップＳ２０４において手検出信号がオン状態であると判定した場合、続いて、手検出信号のオン状態が第２オンディレイ時間Ｔｄｅｌａｙ２継続されているか否かを判定する（ステップＳ２０６、Ｓ２０７）。
【０１１２】
制御部４４は、第２オンディレイ時間Ｔｄｅｌａｙ２の経過の前に、手検出信号がオン状態からオフ状態に切り替わった場合、ステップＳ２０１の動作に戻り、手検出部４０をオフ状態にする。
【０１１３】
一方、制御部４４は、手検出信号のオン状態が第２オンディレイ時間Ｔｄｅｌａｙ２継続された場合、上記と同様に、ファンモータユニット２２及びフィンヒータ２６の駆動を開始し、手検出信号がオフ状態に切り替わるまでファンモータユニット２２及びフィンヒータ２６の駆動状態を継続させる（ステップＳ２０８〜ステップＳ２１２）。この際、第２オンディレイ時間Ｔｄｅｌａｙ２は、第１オンディレイ時間Ｔｄｅｌａｙ１よりも短い。これにより、第２オフ時間ＴＯＦＦ２を第１オフ時間ＴＯＦＦ１よりも長くした場合においても、最大の待ち時間Ｔｄｍａｘ２が長くなり過ぎてしまうことを抑制することができる。
【０１１４】
この後、制御部４４は、動作モードを第１低消費モードから通常モードに戻し、通常モードのステップＳ１０１の動作を再開する（ステップＳ２１３）。
【０１１５】
このように、本実施形態に係る手乾燥装置１０では、待機状態における消費電力を抑制し、かつ使い勝手の低下を抑制することができる。手乾燥装置１０では、低い消費電力と良好な使い勝手との両立を図ることができる。
【０１１６】
図６及び図７では、手乾燥装置１０の前回の使用からモード切替時間が経過した場合に、通常モードから第１低消費モードに切り替える例を示している。通常モードから第１低消費モードへの切り替えは、モード切替時間の経過に限定されるものではない。
【０１１７】
例えば、前述のように、操作部などを用いて各モードを選択的に切り替えられるようにしてもよい。上記の実施形態では、第１低消費モードの終了後、通常モードに戻るようにしている。例えば、操作部を用いて選択的に各モードを切り替える場合には、図７のステップＳ２１２の実行後、ステップＳ２０１に戻り、第１低消費モードでの動作を繰り返してもよい。
【０１１８】
この例では、第２オン時間ＴＯＮ２を第１オン時間ＴＯＮ１と実質的に同じとしているが、第２オン時間ＴＯＮ２は、第１オン時間ＴＯＮ１と異なってもよい。例えば、第１低消費モードにおいては、第２オン時間ＴＯＮ２を第１オン時間ＴＯＮ１よりも短くしてもよい。これにより、例えば、待機状態における消費電力をより抑制することができる。
【０１１９】
（第２の実施形態）  
図８（ａ）〜図８（ｄ）は、第２の実施形態にかかる制御部の動作の一例を表すタイミングチャート図である。  
図８（ａ）及び図８（ｂ）は、第２の実施形態にかかる手乾燥装置１０の通常モード時の動作の一例を表している。  
図８（ｃ）及び図８（ｄ）は、第２の実施形態にかかる手乾燥装置１０の第１低消費モード時の動作の一例を表している。  
なお、上記第１の実施形態と機能・構成上実質的に同じものについては、同符号を付し、詳細な説明を省略する。
【０１２０】
図８（ａ）〜図８（ｄ）に表したように、この例において、制御部４４は、第１低消費モードにおける最大の待ち時間Ｔｄｍａｘ２が、通常モードにおける最大の待ち時間Ｔｄｍａｘ１と実質的に同じとなるように、第１低消費モードの第２オン時間ＴＯＮ２と、第２オフ時間ＴＯＦＦ２と、第２オンディレイ時間Ｔｄｅｌａｙ２と、を設定する。この例において、第１低消費モードの第２オフ時間ＴＯＦＦ２と第２オンディレイ時間Ｔｄｅｌａｙ２との和は、通常モードの第１オフ時間ＴＯＦＦ１と第１オンディレイ時間Ｔｄｅｌａｙ１との和と実質的に同じである。
【０１２１】
前述のように、第１オフ時間ＴＯＦＦ１は、例えば、２００ｍｓであり、第１オンディレイ時間Ｔｄｅｌａｙ１は、例えば、５００ｍｓである。この場合、例えば、第２オフ時間ＴＯＦＦ２を４００ｍｓに設定し、第２オンディレイ時間Ｔｄｅｌａｙ２を３００ｍｓに設定する。これにより、通常モードの最大の待ち時間Ｔｄｍａｘ１、及び第１低消費モードの最大の待ち時間Ｔｄｍａｘ２のそれぞれを７００ｍｓで実質的に同じとすることができる。
【０１２２】
このように、第１低消費モードの最大の待ち時間Ｔｄｍａｘ２が、通常モードの最大の待ち時間Ｔｄｍａｘ１と実質的に同じとなるようにする。これにより、例えば、第１低消費モードにおける手乾燥装置１０の使い勝手を、通常モードにおける使い勝手と実質的に同じとすることができる。例えば、使用者に与える違和感をより抑制することができる。使い勝手の低下をより抑制することができる。
【０１２３】
なお、通常モードの最大の待ち時間Ｔｄｍａｘ１と第１低消費モードの最大の待ち時間Ｔｄｍａｘ２とは、厳密に一致していなくてもよい。例えば、Ｔｄｍａｘ１とＴｄｍａｘ２との差の絶対値を１０ｍｓ以下にする。これにより、Ｔｄｍａｘ１とＴｄｍａｘ２との差が使用者に体感されてしまうことを抑制することができる。すなわち、使用者に与える違和感を適切に抑制し、使い勝手の低下を適切に抑制することができる。
【０１２４】
（第３の実施形態）  
図９（ａ）〜図９（ｅ）は、第３の実施形態にかかる制御部の動作の一例を表すタイミングチャート図である。  
図９（ａ）〜図９（ｅ）は、第３の実施形態にかかる手乾燥装置１０の通常モード時の動作の一例を表している。  
図９（ａ）〜図９（ｅ）に表したように、この例において、制御部４４は、通常状態と、省電力状態と、を有している。通常状態とは、例えば、マイクロコンピュータにおけるアクティブモードなどであり、手乾燥装置１０の各部を正常に制御可能な状態である。通常状態とは、例えば、上記各実施形態で説明した制御が可能な状態である。省電力状態とは、例えば、マイクロコンピュータにおけるＳＴＯＰモードやＨＡＬＴモードなど、一部の動作を停止させ、制御部４４での消費電力を通常状態よりも低下させた状態である。省電力状態とは、例えば、一部の機能の停止により、上記各実施形態で説明した制御の実行が不可能となった状態である。
【０１２５】
制御部４４は、手の挿入が検出されていない待機状態において、通常状態と省電力状態とを周期的に繰り返す。
【０１２６】
制御部４４は、例えば、通常状態において手検出部４０をオン状態に設定し、第１オン時間ＴＯＮ１の経過の後、手検出部４０をオン状態からオフ状態に切り替える。制御部４４は、手検出部４０をオフ状態に切り替えた後、通常状態から省電力状態に切り替わる。
【０１２７】
そして、制御部４４は、第１オフ時間ＴＯＦＦ１の経過の前に、省電力状態から通常状態に切り替わり、第１オフ時間ＴＯＦＦ１の経過に応答して手検出部４０をオフ状態からオン状態に切り替える。
【０１２８】
以下、制御部４４は、待機状態においては、上記の処理を繰り返し、手検出部４０をオン状態とオフ状態とに周期的に切り替えるとともに、通常状態と省電力状態とに周期的に切り替わる。一方、制御部４４は、手検出部４０によって手が検出された場合、通常状態及び手検出部４０のオン状態を継続させ、上記各実施形態に関して説明したように、ファンモータユニット２２やフィンヒータ２６などの動作を制御する。
【０１２９】
このように、制御部４４は、通常状態の期間に手検出部４０のオン状態の期間を重ねるとともに、手検出部４０のオフ状態の期間に省電力状態の期間を重ねる。すなわち、制御部４４は、通常状態の期間内において、手検出部４０をオン状態に設定し、手検出部４０のオフ状態の期間内において、自身を省電力状態に設定する。制御部４４は、例えば、手検出部４０のオン状態の期間に通常状態の期間を同期させ、手検出部４０のオフ状態の期間に省電力状態の期間を同期させる。
【０１３０】
このように、手検出部４０がオフ状態の時に、制御部４４を省電力状態にする。これにより、待機状態における消費電力をより抑制することができる。この例では、通常モード時に制御部４４を省電力状態にする例を示しているが、制御部４４は、第１低消費モードにおいても、同様に、通常状態と省電力状態とを周期的に繰り返す。これにより、消費電力をより抑制することができる。
【０１３１】
制御部４４の通常状態と省電力状態との切り替えは、通常モードと第１低消費モードとの一方のみで行ってもよい。すなわち、制御部４４は、通常モードと第１低消費モードとの少なくとも一方において、通常状態と省電力状態とを切り替え可能であればよい。
【０１３２】
制御部４４は、例えば、省電力状態から通常状態に切り替わった直後に手検出部４０をオフ状態からオン状態に切り替える。そして、制御部４４は、例えば、手検出部４０をオン状態からオフ状態に切り替えた直後に、通常状態から省電力状態に切り替わる。
【０１３３】
制御部４４の通常状態への切り替えのタイミングから手検出部４０のオン状態への切り替えのタイミングまでの時間は、例えば、０．１ｍｓ以上１ｍｓ以下である。手検出部４０のオフ状態への切り替えのタイミングから制御部４４の省電力状態への切り替えのタイミングまでの時間は、例えば、０．１ｍｓ以上１ｍｓ以下である。これにより、手検出部４０の切り替えを適切に制御しつつ、待機状態における制御部４４での消費電力を適切に抑制することができる。
【０１３４】
例えば、手検出部４０のオン状態からオフ状態への切り替えと、制御部４４の通常状態から省電力状態への切り替えは、実質的に同時でもよい。一方、手検出部４０のオン状態への切り替えの時には、例えば、制御部４４の動作の安定に必要となる時間分だけ、早く制御部４４を立ち上げることが好ましい。
【０１３５】
（第４の実施形態）  
図１０は、第４の実施形態にかかる手乾燥装置の電気的構成を表すブロック図である。  図１０に表したように、この例において、手乾燥装置１００は、照度計６４と、モード切替スイッチ６５と、タイマ６６と、をさらに有する。
【０１３６】
照度計６４は、制御部４４に接続されている。照度計６４は、例えば、少なくとも一部が外部に露呈するように本体部１２に設けられ、本体部１２の外側の照度を計測する。照度計６４は、例えば、手乾燥装置１００が設置されたトイレ室などの照度を計測する。そして、照度計６４は、照度の計測結果を制御部４４に入力する。
【０１３７】
モード切替スイッチ６５は、制御部４４に接続されている。モード切替スイッチ６５は、例えば、使用者が操作可能な操作部を有し、操作部の操作に応じた切替信号を制御部４４に入力する。
【０１３８】
タイマ６６は、制御部４４に設けられている。タイマ６６は、時刻の計時を行い、時刻情報を制御部４４に入力する。タイマ６６は、制御部４４に外付けしてもよい。また、時刻情報は、例えば、外部の機器などから受信してもよい。
【０１３９】
図１１（ａ）〜図１１（ｆ）は、第４の実施形態にかかる制御部の動作の一例を表すタイミングチャート図である。  
図１１（ａ）〜図１１（ｆ）に表したように、この例において、制御部４４は、第２低消費モードをさらに有する。制御部４４は、第２低消費モードにおいて、第３オン時間ＴＯＮ３と、第３オフ時間ＴＯＦＦ３と、第３オンディレイ時間Ｔｄｅｌａｙ３と、を設定する。この例において、第３オン時間ＴＯＮ３は、第１オン時間ＴＯＮ１及び第２オン時間ＴＯＮ２と同じである。一方、第３オフ時間ＴＯＦＦ３は、第２オフ時間ＴＯＦＦ２よりも長い。第３オフ時間ＴＯＦＦ３は、例えば、８００ｍｓ〜１０００ｍｓ程度である。
【０１４０】
第２低消費モードにおいては、第３オフ時間ＴＯＦＦ３を第１低消費モードの第２オフ時間ＴＯＦＦ２よりもさらに長くする。すなわち、第２低消費モードにおいては、オフ時間の比率を第１低消費モードよりもさらに高くする。これにより、第２低消費モードを設定した場合には、待機状態における消費電力を第１低消費モードよりもさらに抑制することができる。
【０１４１】
第３オンディレイ時間Ｔｄｅｌａｙ３は、例えば、第２オンディレイ時間Ｔｄｅｌａｙ２と同じである。従って、第２低消費モードでは、最大の待ち時間Ｔｄｍａｘ３が、第１低消費モードの最大の待ち時間Ｔｄｍａｘ２よりも長くなる。第２低消費モードは、例えば、待ち時間が長くなってしまうことを許容し、消費電力の抑制効果を高めた動作モードである。
【０１４２】
第３オンディレイ時間Ｔｄｅｌａｙ３は、第２オンディレイ時間Ｔｄｅｌａｙ２と異なってもよい。第３オンディレイ時間Ｔｄｅｌａｙ３は、第２オンディレイ時間Ｔｄｅｌａｙ２より長くてもよいし、短くてもよい。第３オンディレイ時間Ｔｄｅｌａｙ３は、例えば、第１オンディレイ時間Ｔｄｅｌａｙ１と同じでもよい。第３オン時間ＴＯＮ３は、第１オン時間ＴＯＮ１及び第２オン時間ＴＯＮ２と異なってもよい。
【０１４３】
モード切替スイッチ６５は、第１低消費モードと第２低消費モードとの切り替えに用いられる。制御部４４は、例えば、モード切替スイッチ６５からの切替信号に応じて、第１低消費モードと第２低消費モードとを切り替える。モード切替スイッチ６５は、例えば、通常モードをさらに選択できるようにしてもよい。
【０１４４】
例えば、オフィスビルのトイレ室に設置された手乾燥装置１００では、深夜や休日など、使用頻度が極端に低下する時間帯がある。このような時間帯においては、モード切替スイッチ６５の操作などにより、手乾燥装置１００を第２低消費モードに設定する。これにより、手乾燥装置１００の使い勝手の低下を抑制しつつ、消費電力をより抑制することができる。
【０１４５】
例えば、第２低消費モードが設定されていることを報知するための報知部を手乾燥装置１００に設け、第２低消費モードが設定されている場合には、長めに手を挿入するように使用者に促してもよい。報知部は、文字などで報知を行うディスプレイや音声で報知を行うスピーカなど、報知が可能な任意の部材でよい。例えば、照明部３４を報知部として用いてもよい。
【０１４６】
図１２は、第４の実施形態にかかる制御部の動作の一例を表すフローチャートである。  図１２において、ステップＳ３０１〜ステップＳ３１３は、上記第１の実施形態に関して説明したステップＳ１０１〜ステップＳ１１３と実質的に同じであるから、詳細な説明は省略する。
【０１４７】
図１２に表したように、制御部４４は、ステップＳ３１２においてモード切替時間が経過したと判定した場合、所定の切替条件を基に、第２低消費モードに切り替えるか否かの判定を行う（ステップＳ３１４）。なお、図示しないがステップＳ３１２およびステップＳ３１４、ステップＳ３１５、ステップＳ３１６は、ステップＳ３０1とステップＳ３０２との間に設けてもよい。
【０１４８】
制御部４４は、例えば、モード切替スイッチ６５の切替信号を切替条件として判定を行う。制御部４４は、モード切替スイッチ６５で第１低消費モードが設定されている場合には、第１低消費モードへの切り替えを判定する。一方、制御部４４は、モード切替スイッチ６５で第２低消費モードが設定されている場合には、第２低消費モードへの切り替えを判定する。
【０１４９】
制御部４４は、第１低消費モードへの切り替えを判定した場合、動作モードを通常モードから第１低消費モードに切り替える（ステップＳ３１５）。制御部４４は、例えば、図７に関して説明した処理を第１低消費モードで実行する。
【０１５０】
一方、制御部４４は、第２低消費モードへの切り替えを判定した場合、動作モードを通常モードから第２低消費モードに切り替える（ステップＳ３１６）。第２低消費モードの処理フローは、第１低消費モードの処理フローと実質的に同じであるから、詳細な説明は省略する。
【０１５１】
このように、制御部４４に第２低消費モードをさらに設ける。これにより、例えば、手乾燥装置１００の待機状態の消費電力をより抑制することができる。また、第１低消費モードと第２低消費モードとを切り替え可能とすることで、手乾燥装置１００の使い勝手をより高めることができる。
【０１５２】
上記実施形態では、モード切替スイッチ６５からの切替信号を、第２低消費モードに切り替えるか否かの切替条件としている。切替条件は、これに限ることなく、切り替えの判定が可能な任意の条件でよい。
【０１５３】
例えば、照度計６４で計測された照度が所定値未満の場合には、夜間など、使用頻度の低い時間帯であることが考えられる。そこで、ステップＳ３１４における判定において、照度計６４の計測結果を切替条件とし、照度が所定値以上の場合には、第１低消費モードへの切り替えを判定し、照度が所定値未満の場合には、第２低消費モードへの切り替えを判定してもよい。
【０１５４】
例えば、タイマ６６の時刻情報を切替条件とし、日中などの第１の時間帯（例えば７時から２１時）においては第１低消費モードへの切り替えを判定し、夜間などの第２の時間帯（例えば２１時から翌日の７時）においては第２低消費モードへの切り替えを判定してもよい。
【０１５５】
例えば、タイマ６６の時刻情報を基に、手乾燥装置１００の使用頻度をＥＥＰＲＯＭ６０などの記憶部に記憶し、使用頻度の高い時間帯や使用頻度の低い時間帯を自動的に学習するようにしてもよい。例えば、手乾燥装置１００の使用毎に、制御部４４が、使用時刻を手乾燥装置１００の使用頻度に関する使用頻度情報として記憶部に蓄積する。この使用頻度情報を基に、第２低消費モードへの切り替えを判定してもよい。すなわち、第２低消費モードに切り替えるか否かの判定を行った時刻が、使用頻度情報における使用頻度の高い時刻である場合には、第１低消費モードへの切り替えを判定し、使用頻度情報における使用頻度の低い時刻である場合には、第２低消費モードへの切り替えを判定してもよい。例えば、タイマ６６の時刻情報に日付や曜日の情報を含め、日付や曜日毎に使用頻度の高い時間帯などを判別できるようにしてもよい。
【０１５６】
例えば、第１モード切替時間と、第１モード切替時間よりも長い第２モード切替時間と、を用意し、前回の使用から第１モード切替時間が経過した場合に、第１低消費モードを設定し、前回の使用から第２モード切替時間が経過した場合に、第２低消費モードを設定してもよい。
【０１５７】
また、低消費モードの数は、２つに限ることなく、オン時間、オフ時間、及びオンディレイ時間の設定がそれぞれ異なる３つ以上の低消費モードを設けてもよい。
【０１５８】
（第５の実施形態）  
図１３及び図１４は、第５の実施形態にかかる制御部の動作の一例を表すフローチャートである。  
図１３は、第１低消費モードの動作の変形例を表す。図１４は、第２低消費モードの動作の変形例を表す。このように、図１３及び図１４では、第１低消費モード及び第２低消費モードの動作の変形例を第５の実施形態として表す。
【０１５９】
図１３に表したように、制御部４４は、手検出部４０による手の検出及び第２オンディレイ時間Ｔｄｅｌａｙ２の経過に応じてファンモータユニット２２及びフィンヒータ２６を駆動し、手検出信号のオン状態からオフ状態への変化に応じてファンモータユニット２２及びフィンヒータ２６の駆動を停止させた後、ファンモータユニット２２が動作を開始してから停止するまでの動作時間が所定時間以上か否かの判定を行う（ステップＳ４１３）。なお、図１３において、ステップＳ４０１〜ステップＳ４１２は、図７に関して説明したステップＳ２０１〜ステップＳ２１２と実質的に同じであるから、詳細な説明は省略する。
【０１６０】
制御部４４は、例えば、ステップＳ４０８におけるファンモータユニット２２の駆動開始とともに計時を開始し、ステップＳ４１２におけるファンモータユニット２２の駆動停止とともに計時を停止し、計時した時間と予め決められた所定時間とを比較する。これにより、制御部４４は、ファンモータユニット２２の動作時間が所定時間以上か否かを判定する。
【０１６１】
制御部４４は、所定時間以上であると判定した場合、動作モードを第１低消費モードから通常モードに戻し、通常モードの動作を再開する（ステップＳ４１４）。一方、制御部４４は、所定時間未満であると判定した場合、ステップＳ４０１に戻り、第１低消費モードの動作を継続する。
【０１６２】
ファンモータユニット２２の動作時間が所定時間未満である場合には、例えば、虫などが手挿入部１４内に侵入した誤動作であることが考えられる。従って、ファンモータユニット２２の動作時間が所定時間未満である場合には、第１低消費モードを継続する。これにより、例えば、誤動作によって通常モードに戻り、消費電力が高くなってしまうことを抑制することができる。
【０１６３】
ファンモータユニット２２の動作時間を判定する所定時間は、例えば、２秒である。制御部４４は、ファンモータユニット２２の動作時間が２秒以上である場合に、通常モードに戻り、ファンモータユニット２２の動作時間が２秒未満である場合に、第１低消費モードを継続する。
【０１６４】
図１４に表したように、制御部４４は、第２低消費モードにおいても第１低消費モードと同様に、ファンモータユニット２２及びフィンヒータ２６の駆動を停止させた後、ファンモータユニット２２が動作を開始してから停止するまでの動作時間が所定時間以上か否かの判定を行う。そして、制御部４４は、所定時間以上である場合には、動作モードを第２低消費モードから通常モードに戻し、所定時間未満である場合には、第２低消費モードの動作を継続する。これにより、第２低消費モードにおいても、誤動作に起因する消費電力の増加を抑制することができる。
【０１６５】
例えば、前回の使用から第１モード切替時間が経過した場合に、第１低消費モードを設定し、第２モード切替時間が経過した場合に、第２低消費モードを設定するなどといったように、通常モードから第１低消費モードに、そして第１低消費モードから第２低消費モードに段階的に変化させることが考えられる。このような場合には、例えば、ファンモータユニット２２の動作時間が所定時間以上であると判定した際に、第２低消費モードから第１低消費モードに戻るようにしてもよい。
【０１６６】
（第６の実施形態）  
図１５は、第６の実施形態にかかる手乾燥装置を表す斜視図である。  
図１６は、第６の実施形態にかかる手乾燥装置を表す縦断面図である。  
図１５及び図１６に表したように、手乾燥装置２００は、本体部２０２を備える。本体部２０２は、機能部２０４と、機能部２０４の下方に設けられた水受部２０６と、機能部２０４と水受部２０６との間に設けられた手挿入部２０８と、を有する。手乾燥装置２００は、例えば、背面をトイレ室等の壁面に当接させた状態で、トイレ室などに設置される。
【０１６７】
手挿入部２０８は、使用者の手を挿入可能にした凹状である。この例において、手挿入部２０８は、前方及び左右方向に開口した溝状である。従って、手乾燥装置２００では、前方から後方（壁側）に向かって手挿入部２０４に手を挿入する。
【０１６８】
図１６に表したように、機能部２０４は、内部に空間を形成する第１ケース２１０と、第１ケース２１０内に設けられた内部ケース２１２と、内部ケース２１２内に設けられた送風機２１４（気体供給部）及びヒータ２１６と、を有する。
【０１６９】
また、第１ケース２１０の内部には、手検出部２２０と、制御部２２２とが内部ケース２１２の下方に設けられており、内部ケース２１２の下部にはノズル部材２２４が設けられている。さらに、ノズル部材２２４の内部に挿入されるようにして、温度センサ２２６が配置されている。
【０１７０】
送風機２１４は、内部に配置されるモータ２３０と、そのモータ２３０の出力軸に接続されるファン（図示せず）を有している。モータ２３０は電力が供給されることによって駆動する電動機であり、この電力の供給は制御部２２２によって制御される。また、モータ２３０は、その出力軸を介してファンを回転させることで、送風機入口２３２から空気を吸引して内部に取り込む。取り込んだ空気はモータ２３０側に流れ、その外側に開設された送風機出口２３４から外部に吹き出される。
【０１７１】
手検出部２２０は、手挿入部２０８内に使用者の手が挿入されたことを検知するためのセンサである。手検出部２２０は、例えば、手挿入部２０８内に赤外線を照射するとともに、使用者の手が手挿入部２０８内に挿入された場合に、その使用者の手で反射した赤外線を受信することで、使用者の手を検出する。手検出部２２０は、例えば、赤外線が反射した反射対象物の距離に応じて使用者の手を検出する測距センサである。手検出部は、使用者の手の挿入を検出すると、手検出信号を制御部２２２に送信する。
【０１７２】
ノズル部材２２４は、内部ケース２１２の下端の内部ケース出口２１２ａに、それぞれの内部が連通するよう接続されている。ノズル部材２２４の下端部にはスリット状の吹き出し口２２４ａが設けられるとともに、第１ケース２１０の下面から手挿入部２０８内に臨出している。また、ノズル部材２２４は、上端部から下端部にかけて、その内部の断面積が漸次小さくなるよう形成されている。このノズル部材２２４の内部には温度センサ２２６が外部から挿入されており、空気の温度を検出可能に構成されている。
【０１７３】
ヒータ２１６は、内部ケース出口２１２ａの近傍に設けられ、内部ケース出口２１２ａからノズル部材２２４内へと流入する空気が、その内部を通過できるよう構成されている。また、ヒータ２１６は、電力の供給を受けて発熱し、その内部を通過する空気を熱伝達によって加熱することができる。この電力の供給は制御部２２２によって制御されており、供給される電力が大きいほどヒータ２１６の出力も大きくなり、通過する空気も高温となる。
【０１７４】
水受部２０６は、樹脂材料で一体的に形成された第２ケース２４０と、第２ケース２４０の下方に配置される水受けトレー２５０とを備えている。第２ケース２４０は、壁面に沿って伸びる背板２４１と、背板２４１の下端から前方に延びる底板２４２とを有する。また、背板２４１と底板２４２の両側及び前方の端部には、連なるようにして前方又は上方に突出する側板２４３を有している。このように構成された第２ケース２４０と、第１ケース２１０の下面により、前面及び左右両側面が開放された手挿入部２０８が区画形成される。また、図１５に示すように、底板２４２には上下方向に貫通する排水孔２６０が設けられている。この排水孔２６０から下方に排出された水は、底板２４２の下方に配置される水受けトレー２５０内に貯留されるよう構成されている。
【０１７５】
手乾燥装置２００に電力が供給されると、手検出部２２０は手挿入部２０８内に赤外線を照射し、使用者の手の挿入に待機する。そして、手挿入部２０８内に使用者の濡れた手が挿入され、手検出部２２０がそれを検出すると、手検出部２２０は制御部２２２に手検出信号を送信する。手検出信号を受信した制御部２２２は、モータ２３０及びヒータ２１６への電力供給を開始し、それらの駆動及び出力を開始させる。
【０１７６】
モータ２３０が駆動を開始すると、その出力軸に接続されているファン（図示せず）が回転を開始する。このファンの回転により、機能部２０４、水受部２０６の背面寄りの側面にそれぞれ設けられた第１吸込口２６１、第２吸込口２６２から、矢印Ｆａのように空気が吸い込まれる。
【０１７７】
第１吸込口２６１と第２吸込口２６２から吸い込まれた空気は、それぞれ機能部２０４の背面と壁面とで形成される第１背面風路２７１と、水受部２０６の背面と壁面とで形成される第２背面風路２７２を、機能部２０４の背面下部に設けられるフィルタ部材２８０に向けて流れる。フィルタ部材２８０は、空気が通過可能なメッシュ状の部材であり、通過の際に空気中に含まれる異物を除去することが可能に構成されている。
【０１７８】
フィルタ部材２８０を壁面側から前方側に通過した空気は、矢印Ｆｂのようにその流れの向きを上方向に変えて、下流に設けられる吸気ダクト２８１内に流入する。そして、空気は吸気ダクト２８１内を流れ、壁面Ｗ側に向けて開設された内部ケース入口２１２ｂから、矢印Ｆｃのようにその流れの向きを前方へと変え、内部ケース２１２内に流入する。
【０１７９】
内部ケース２１２内には、送風機２１４がその送風機入口２３２を内部ケース入口２１２ｂに対向させて収容されている。内部ケース入口２１２ｂを通過し、送風機入口２３２から送風機２１４の内部に流入した空気は、モータ２３０の近傍に至る。電力供給を受けて駆動しているモータ２３０は、その巻線等においてジュール熱が生じているため、このモータ２３０の近傍を流れる空気が加熱され、昇温する。この昇温した空気は、矢印Ｆｄのように送風機出口２３４から外部に吹き出される。
【０１８０】
送風機出口２３４から吹き出された空気は、送風機２１４と内部ケース２１２との間を流れ、下方の内部ケース出口２１２ａに至る。上記のように、内部ケース出口２１２ａの近傍にはヒータ２１６が配置されており、空気はヒータ２１６の内部を通過してさらに下方のノズル部材２２４の上端へと流れる。ヒータ２１６は電力の供給を受けて発熱していることから、通過する空気は熱伝達により加熱され、さらに昇温してノズル部材２２４内に流入する。この際に温度センサ２２６が検知する温度は、モータ２３０及びヒータ２１６で加熱され、ノズル部材２２４内に流入してくる空気の温度である。
【０１８１】
上記のように、ノズル部材２２４は、上端部から下端部にかけて、その内部の断面積が漸次小さくなるよう形成されている。したがって、ノズル部材２２４の上端部から内部に流入した空気は、加速しながらその下端部へと向かい、吹き出し口２２４ａから矢印Ｆｅのように手挿入部２０８内に向けて吹き出す。手挿入部２０８内に挿入された使用者の濡れた手（図示せず）に付着した水滴は、吹き出し口２２４ａから吹き出す空気によって吹き飛ばされる。これにより、手挿入部２０８内に挿入された使用者の濡れた手が乾燥される。
【０１８２】
上記のように構成された手乾燥装置２００において、通常モードと第１低消費モードとを設ける。これにより、上記各実施形態と同様に、待機状態における消費電力を抑制し、かつ使い勝手の低下を抑制することができる。
【０１８３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、手乾燥装置１０、１００、２００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１８４】
１０、１００、２００ 手乾燥装置、  １２ 本体部、  １４ 手挿入部、  １５、１６ 吹き出し口、  １８ 通気口、  ２０ 水受けトレー、  ２２ ファンモータユニット、  ２３、２４ 送風ダクト、  ２６ フィンヒータ、  ２８ フィルタ、  ３０ 吸気ダクト、  ３２ 吸音材、  ３４ 照明部、  ４０ 手検出部、  ４１ 発光部、  ４２ 受光部、  ４４ 制御部、  ４６ 電源回路、  ４８ ゼロクロス検知部、  ５０ 電荷蓄積素子、  ５２ 整流部、  ５４ 電力変換部、  ６０ ＥＥＰＲＯＭ、  ６１ ヒータ入切スイッチ、  ６２ 風量切替スイッチ、  ６３ 電源スイッチ、  ６４ 照度計、  ６５ モード切替スイッチ、  ６６ タイマ、  ７０〜７４ 切替スイッチ、  ２０２ 本体部、  ２０４ 機能部、  ２０６ 水受部、  ２０８ 手挿入部、  ２１０ 第１ケース、  ２１２ 内部ケース、  ２１４ 送風機、  ２１６ ヒータ、  ２２０ 手検出部、  ２２２ 制御部、  ２２４ ノズル部材、  ２２６ 温度センサ、  ２３０ モータ、  ２３２ 送風機入口、  ２３４ 送風機出口、  ２４０ 第２ケース、  ２４１ 背板、  ２４２ 底板、  ２４３ 側板、  ２５０ 水受けトレー、  ２６０ 排水孔、  ２６１ 第１吸込口、  ２６２ 第２吸込口、  ２７１ 第１背面風路、  ２７２ 第２背面風路、  ２８０ フィルタ部材、  ２８１ 吸気ダクト
【図１】
0006459147.tif 000002
【図２】
0006459147.tif 000003
【図３】
0006459147.tif 000004
【図４】
0006459147.tif 000005
【図５】
0006459147.tif 000006
【図６】
0006459147.tif 000007
【図７】
0006459147.tif 000008
【図８】
0006459147.tif 000009
【図９】
0006459147.tif 000010
【図１０】
0006459147.tif 000011
【図１１】
0006459147.tif 000012
【図１２】
0006459147.tif 000013
【図１３】
0006459147.tif 000014
【図１４】
0006459147.tif 000015
【図１５】
0006459147.tif 000016
【図１６】
0006459147.tif 000017